(57)【要約】【目的】  フォーカシングによる収差変動が少なく、絞りの後ろの光学ユニットの光学性能への敏感度が小さいレトロフォーカス型大口径レンズを提供する。【構成】  物体側より順に負の屈折力を有する第１レンズ群、絞り、正の屈折力を有する第２レンズ群、正の屈折力を有する第３レンズ群を有し、無限遠から近距離物体に合焦するために第２レンズ群は固定され、第１レンズ群及び第３レンズ群を光軸に沿って物体側に移動させ、合焦するための移動形態に関して、任意の物体距離までの第１レンズ群の移動量をＴ１、第３レンズ群の移動量をＴ３として、Ｔ１／Ｔ３≦１.０の条件を満足させる。【選択図】図１
2008020658.tif 000002
【特許請求の範囲】
【請求項１】
物体側より順に負の屈折力を有する第１レンズ群、絞り、正の屈折力を有する第２レンズ群、正の屈折力を有する第３レンズ群を有し、無限遠から近距離物体に合焦するために第２レンズ群は固定され、第１レンズ群及び第３レンズ群が光軸に沿って物体側に移動することを特徴とするレトロフォーカス型大口径レンズ。
【請求項２】
合焦するための移動形態に関して、任意の物体距離までの第１レンズ群の移動量をＴ１、第３レンズ群の移動量をＴ３とすると、以下の条件を満足することを特徴とする請求項１記載のレトロフォーカス型大口径レンズ。
（１）Ｔ１／Ｔ３≦１.０
【請求項３】
第３レンズ群中の少なくとも１枚以上の正レンズのアッベ数が、以下の条件を満足することを特徴とする請求項１記載のレトロフォーカス型大口径レンズ。
（２）ν３１≧７５
但し、ν３１：第３レンズ群中の少なくとも１枚以上の正レンズのアッベ数
【請求項４】
レンズ全系の焦点距離をｆ、第２レンズ群の焦点距離をｆ２とすると、以下の条件を満足することを特徴とするレトロフォーカス型大口径レンズ。
（３）ｆ／ｆ２＜０.２
【発明の詳細な説明】
【技術分野】
【０００１】
本発明は、デジタルカメラ、銀塩カメラ、ビデオカメラ等に用いられるレトロフォーカス型大口径レンズに関するものである。
【背景技術】
【０００２】
レトロフォーカス型レンズでＦナンバーが１.４クラスのレンズとしては、例えば、特開平５−１８８２９４号公報、特開平１１−３０７４３号公報、特開平１１−２１１９７８号公報等が知られている。
【０００３】
【特許文献１】特開平５−１８８２９４号公報
【特許文献２】特開平１１−３０７４３号公報
【特許文献３】特開平１１−２１１９７８号公報
【発明の開示】
【発明が解決しようとする課題】
【０００４】
特許文献１は、フォーカシングによる収差変動、特に非点収差の劣化が問題であり、特許文献２や特許文献３は、絞りの後ろの光学ユニットの光学性能への敏感度が高かった。本発明は、フォーカシングによる収差変動が少なく、絞りの後ろの光学ユニットの光学性能への敏感度が小さいレトロフォーカス型大口径レンズを提供することを目的とする。
【課題を解決するための手段】
【０００５】
前記課題を解決するために、本発明では、物体側より順に負の屈折力を有する第１レンズ群、絞り、正の屈折力を有する第２レンズ群、正の屈折力を有する第３レンズ群を有し、無限遠から近距離物体に合焦するために第２レンズ群は固定され、第１レンズ群及び第３レンズ群を光軸に沿って物体側に移動させる。
【０００６】
本発明の好ましい態様によれば、合焦するための移動形態に関して、任意の物体距離までの第１レンズ群の移動量をＴ１、第３レンズ群の移動量をＴ３として、以下の条件を満足させる。
（１）Ｔ１／Ｔ３≦１.０
また、第３レンズ群中の少なくとも１枚以上の正レンズのアッベ数が、以下の条件を満足させる。
（２）ν３１≧７５
但し、ν３１：第３レンズ群中の少なくとも１枚以上の正レンズのアッベ数
また、レンズ全系の焦点距離をｆ、第２レンズ群の焦点距離をｆ２とすると、以下の条件を満足させる。
（３）ｆ／ｆ２＜０.２
【発明の効果】
【０００７】
本発明によれば、フォーカシングによる収差変動が少なく、絞りの後ろの光学ユニットの光学性能への敏感度が小さいレトロフォーカス型大口径レンズを達成することができる。
【発明を実施するための最良の形態】
【０００８】
物体側より順に負の屈折力を有する第１レンズ群、絞り、正の屈折力を有する第２レンズ群、正の屈折力を有する第３レンズ群を有し、無限遠から近距離物体に合焦するために第２レンズ群は固定され、第１レンズ群及び第３レンズ群を光軸に沿って物体側に移動させる。
【０００９】
条件式（１）は、任意の物体距離までの第１レンズ群の移動量をＴ１と第３レンズ群の移動量Ｔ３の比を規定するものである。
【００１０】
条件式（１）の範囲を越えると相対的に第３レンズ群の移動量が小さくなり、第３レンズ群の屈折力が強くなるのでペッツバール和が正の大きい値となり非点隔差が大きくなってしまう。
【００１１】
条件式（２）は、第３レンズ群中の少なくとも１枚以上の正レンズのアッベ数を規定するものである。
【００１２】
条件式（２）の範囲を越えると軸上色収差のみならず倍率色収差を良好に補正することが困難となる。さらには、第３レンズ群中の少なくとも２枚以上の正レンズのアッベ数が条件式（２）を満たしていれば尚良い。
【００１３】
条件式（３）は、レンズ全系の焦点距離と第２レンズ群の焦点距離の比を規定するものである。
【００１４】
条件式（３）の範囲を越えると相対的に第２レンズ群の焦点距離が短くなり、光学性能の敏感度が大きくなりすぎて製造が困難となる。
【００１５】
以下に、本発明のレトロフォーカス型大口径レンズの数値実施例１および数値実施例２を示す。ここで［全体諸元］中、ｆは焦点距離、ＦｎｏはＦナンバー、２ωは画角を示す。［レンズ諸元］中、番号は物体側から順にレンズの面番号、ｒはレンズ面の曲率半径、ｄはレンズ面間隔、ｎはｄ線の屈折率、νはアッベ数を示す。また、Ｂｆはバックフォーカス、Ｏｂｊは被写体からレンズ第１面までの距離を示す。図中のｄ線、ｇ線、Ｃ線はそれぞれの波長に対する収差であり、ΔＳはサジタル、ΔＭはメリジオナルである。
【００１６】
また、以下の表において非球面には面番号に＊を印してあり、非球面の形状は以下の式により表される。なお、レンズ面の曲率半径をＲとし、光軸方向をＸ軸とし、光軸と垂直方向をＹ軸とする。Ａ１、Ａ２及びＡ３は非球面係数とする。
【００１７】
【数１】
2008020658.tif 000003
【００１８】
［数値実施例１］
［全体諸元］
ｆ＝２５.４ｍｍ
Ｆｎｏ＝１.４０
２ω＝４７.４°
［レンズ諸元］
番号            ｒ［ｍｍ］    ｄ［ｍｍ］        ｎ              ν
［１］      １９２.８１９４  ４.５４４８      １.６９６８０    ５５.５
［２］    −１９２.８１９４  ０.２０００
［３］        ３０.１３７１  ５.７８２０      １.８３４００    ３７.３
［４］        ７１.６４１８  １.７０２６
［５］      ３００.８７２９  １.５０００      １.４９７００    ８１.６
［６］        １４.００００  ５.８９４０
［７］        ６０.１３７０  １.３０００      １.５８１４４    ４０.９
［８］        １８.５１８７    ｄ８
［９］          絞り        ４.００００
［１０］    １０５.９８４０  ３.３４３３      １.８０６１０    ４０.７
［１１］  −１２５.９３２４  ５.４２３５
［１２］    −２３.７５３０  ３.６０００      １.８４６６６    ２３.８
［１３］  −１４７.８４９９  ４.６９１０      １.４９７００    ８１.６
［１４］    −２８.０９７４    ｄ１４
［１５］  −２０２.５２６０  ４.９０２２      １.４５６５０    ９０.３
［１６］    −３６.１７６０  ０.２０００
［１７］      ６７.８５５４  ６.６６８９      １.４９７００    ８１.６
［１８］    −４８.４６８１  ３.６４９０
［１９］  ＊６６６.６６６７  ５.１１５８      １.５８９１３    ６１.３
［２０］    −５０.７４０９６
［第１９面の非球面係数］
Ａ１＝−０.７７６６９１０５×１０−５
Ａ２＝−０.５６２２２４１２×１０−９
Ａ３＝−０.２５９９９２５０×１０−１１
［無限遠撮影時の変倍における可変間隔］
ｄ８          ８.２０７０
ｄ１４        ３.５３８８
Ｂｆ        ３３.４５
［有限物体距離撮影時の変倍における可変間隔］
Ｏｂｊ  １０７０.００００
ｄ８          ８.６２７２
ｄ１４        ２.９２２８
Ｂｆ        ３４.０７
［条件値］
（１）Ｔ１／Ｔ３＝０.６８
（２）ν３１＝９０.２
（３）ｆ／ｆ２＝０.０３４
【００１９】
［数値実施例２］
［全体諸元］
ｆ＝２５.７ｍｍ
Ｆｎｏ＝１.４１
２ω＝４７.０°
［レンズ諸元］
番号            ｒ［ｍｍ］    ｄ［ｍｍ］        ｎ              ν
［１］      ２１３.３９５０    ４.４４８１    １.７１３００    ５３.９
［２］    −２１３.３９５０    ０.２０００
［３］        ２８.１５０５    ６.７０１６    １.８３４００    ３７.３
［４］        ６９.０１８９    １.４８２２
［５］      １７０.８１３０    １.５０００    １.４８７４９    ７０.２
［６］        １４.００００    ６.０７３７
［７］        ７６.７０２９    １.３０００    １.５８１４４    ４０.９
［８］        １６.９８７８      ｄ８
［９］          絞り          ４.００００
［１０］      ６７.１２８６    ７.０８７２    １.８０６１０    ４０.７
［１１］  −２１４.７４４８    ２.５１９２
［１２］    −２３.７５３０    ３.６０００    １.８０５１８    ２５.５
［１３］    ２５６.８９６０    ５.１０５０    １.４８７４９    ７０.２
［１４］    −２８.５５１３      ｄ１４
［１５］      ９８.５４９１    ４.４７０１    １.４５６５０    ９０.３
［１６］    −８４.９９１５    ０.２０００
［１７］    １３５.０２２７    ５.９５０２    １.４８７４９    ７０.２
［１８］    −４１.１４９５    ０.２０００
［１９］    ６６６.６９８５    ３.７００２    １.４９７００    ８１.６
［２０］  −１０８.９０２６    ０.５４９４
［２１］＊−６２４.１４７３    ４.２５９５    １.５８９１３    ６１.３
［２２］    −４５.８０７３
［第２１面の非球面係数］
Ａ１＝−０.９６２１６９８７×１０−５
Ａ２＝−０.１６４６９４４０×１０−８
Ａ３＝−０.２０６３５６６５×１０−１１
［無限遠撮影時の変倍における可変間隔］
ｄ８          ８.３７４３
ｄ１４        ３.５１１８
Ｂｆ        ３３.４５
［有限物体距離撮影時の変倍における可変間隔］
Ｏｂｊ  １０７０.００００
ｄ８          ８.８６９８
ｄ１４        ２.８８９９
Ｂｆ        ３４.０７
［条件値］
（１）Ｔ１／Ｔ３＝０.８０
（２）ν３１＝９０.２
（３）ｆ／ｆ２＝０.０１４
【図面の簡単な説明】
【００２０】
【図１】数値実施例１のレンズ断面図である。
【図２】数値実施例１の無限遠撮影時の諸収差である。
【図３】数値実施例１の有限物体距離撮影時の諸収差である。
【図４】数値実施例２のレンズ断面図である。
【図５】数値実施例２の無限遠撮影時の諸収差である。
【図６】数値実施例２の有限物体距離撮影時の諸収差である。
【符号の説明】
【００２１】
Ｇ１  第１レンズ群
Ｇ２  第２レンズ群
Ｇ３  第３レンズ群
【図１】
2008020658.tif 000004
【図２】
2008020658.tif 000005
【図３】
2008020658.tif 000006
【図４】
2008020658.tif 000007
【図５】
2008020658.tif 000008
【図６】
2008020658.tif 000009